(57)【要約】【課題】強制運転開始条件を満たした場合に強制運転を自動的に開始する空気調和機において、空気調和機の消費電気代が増加するという問題がある。【解決手段】強制運転開始条件を満たした場合に空調空間内の温度または湿度を低下させる強制運転を開始する空気調和機において、空調空間にいる使用者の特性を検知して、使用者の特性にしたがって互いに異なる強制運転開始条件を決定する。【選択図】図３
2014231963.tif 000002
【特許請求の範囲】
【請求項１】
強制運転開始条件を満たした場合に空調空間内の温度または湿度を低下させる強制運転を開始する制御手段と、
空調空間にいる使用者の特性を検知する使用者特性検知手段と、
前記使用者検知手段で検知された使用者の特性にしたがって互いに異なる強制運転開始条件を決定する決定手段とを備えたことを特徴とする空気調和機。
【請求項２】
使用者の特性についての情報を記憶する記憶手段を備え、
前記使用者特性検知手段は、前記記憶手段に記憶された情報に基づいて使用者の特性を検知することを特徴とする請求項１に記載の空気調和機。
【請求項３】
使用者の特性についての情報を記憶する記憶手段と、
空調空間にいる使用者の体格を検知する使用者検知手段とを備え、
前記使用者特性検知手段は、前記記憶手段に記憶された情報および前記使用者検知手段で検知された使用者の体格に基づいて使用者の特性を検知することを特徴とする請求項１または２に記載の空気調和機。
【請求項４】
使用者の特性についての情報を記憶する記憶手段と、
空調空間にいる使用者を撮像する撮像手段とを備え、
前記使用者特性検知手段は、前記記憶手段に記載された情報および前記撮像手段で撮像された使用者の撮像情報に基づいて使用者の特性を検知することを特徴とする請求項１−３のいずれかに記載の空気調和機。
【請求項５】
前記使用者特性検知手段は、空調空間内にある使用者の端末装置に記憶された端末情報に基づいて使用者の特性を検知することを特徴とする請求項１−４のいずれかに記載の空気調和機。
【請求項６】
空調空間にいる使用者の顔を撮像する撮像手段と、
前記撮像手段で撮像された使用者の顔に基づいて使用者を識別する顔識別手段とを備え、
前記使用者特性検知手段は、前記顔識別手段で識別された使用者情報に基づいて使用者の特性を検知することを特徴とする請求項１−５のいずれかに記載の空気調和機。
【発明の詳細な説明】
【技術分野】
【０００１】
本発明は、強制運転開始条件を満たした場合に強制運転を自動的に開始する空気調和機に関する。
【背景技術】
【０００２】
従来の空気調和機には、例えば熱中症等になる室温になった場合に、室温を低下させる運転を自動的に開始するものがある。
【先行技術文献】
【特許文献】
【０００３】
【特許文献１】特開２０１２−２３７４８１
【発明の概要】
【発明が解決しようとする課題】
【０００４】
この空気調和機では、空調空間にいる人の特性（例えば、大人か子供かや、老人か若者か等）にかかわらず、所定の室温になった場合に室温を低下させる運転が開始されるので、空気調和機の運転を開始しないでも、空調空間にいる人が熱中症等になることがない場合であっても、運転が自動的に開始されるので、空気調和機の消費電気代が増加するという問題がある。
【０００５】
そこで、本発明の目的は、消費電気代を低減できる空気調和機を提供することである。
【課題を解決するための手段】
【０００６】
第１の発明にかかる空気調和機は、強制運転開始条件を満たした場合に空調空間内の温度または湿度を低下させる強制運転を開始する制御手段と、空調空間にいる使用者の特性を検知する使用者特性検知手段と、前記使用者特性検知手段で検知された使用者の特性にしたがって互いに異なる強制運転開始条件を決定する決定手段とを備えたことを特徴とする。
【０００７】
この空気調和機では、空調空間にいる使用者の特性にしたがって互いに異なる強制運転開始条件が決定され、空調空間にいる使用者の特性に基づいて強制運転の必要があると考えられる場合にだけ強制運転が開始されるので、空気調和機の使用者が熱中症等になることを防止できるとともに、空気調和機の消費電気代を低減できる。
【０００８】
第２の発明にかかる空気調和機は、第１の発明にかかる空気調和機において、使用者の特性についての情報を記憶する記憶手段を備え、前記使用者特性検知手段は、前記記憶手段に記憶された情報に基づいて使用者の特性を検知することを特徴とする。
【０００９】
この空気調和機では、使用者の特性（例えば、年齢、性別、体調など）についての情報が、例えば空気調和機（空気調和機と同一ネットワークにつながった他の機器（給湯機やその他家電など）を含む）に登録されている場合は、その登録された情報に基づいて使用者の特性を検知できる。
【００１０】
第３の発明にかかる空気調和機は、第１または第２の発明にかかる空気調和機において、使用者の特性についての情報を記憶する記憶手段と、空調空間にいる使用者の体格を検知する使用者検知手段とを備え、前記使用者特性検知手段は、前記記憶手段に記憶された情報および前記使用者検知手段で検知された使用者の体格に基づいて使用者の特性を検知する。
【００１１】
この空気調和機では、使用者の体格についての情報が空気調和機に登録されている場合は、使用者検知手段によって空調空間にいる使用者の体格を検知して、その検知された使用者の体格と登録された情報に基づいて使用者の特性を検知できる。
【００１２】
第４の発明にかかる空気調和機空気調和システムは、第１−第３のいずれかの発明にかかる空気調和機空気調和システムにおいて、使用者の特性についての情報を記憶する記憶手段と、空調空間にいる使用者を撮像する撮像手段とを備え、前記使用者特性検知手段は、前記記憶手段に記載された情報および前記撮像手段で撮像された使用者の撮像情報に基づいて使用者の特性を検知することを特徴とする。
【００１３】
この空気調和機では、使用者の特性（例えば、年齢、性別、体調、顔写真など）についての情報が空気調和機に登録されている場合は、撮像手段で撮像された使用者の撮像情報と、登録された情報に基づいて使用者の特性を検知できる。
【００１４】
第５の発明にかかる空気調和機は、第１−第４のいずれかの発明にかかる空気調和機において、前記使用者特性検知手段は、空調空間内にある使用者の端末装置に記憶された端末情報に基づいて使用者の特性を検知することを特徴とする。
【００１５】
この空気調和機では、使用者の特性（例えば、年齢、性別、体調など）についての情報が、使用者が個々に所持している端末装置（例えば、体に身につけた通信端末） に登録されている場合は、その端末装置に登録された情報に基づいて使用者の特性を検知できる。
【００１６】
第６の発明にかかる空気調和機は、第１−第５のいずれかの発明にかかる空気調和機において、空調空間にいる使用者の顔を撮像する撮像手段と、前記撮像手段で撮像された使用者の顔に基づいて使用者を識別する顔識別手段とを備え、前記使用者特性検知手段は、前記顔識別手段で識別された使用者情報に基づいて使用者の特性を検知することを特徴とする。
【００１７】
この空気調和機では、撮像手段で撮像された使用者の顔に基づいて、顔識別年齢認証プログラムを使用して使用者の年齢などを検知して、使用者の特性を検知できる。
【発明の効果】
【００１８】
以上の説明に述べたように、本発明によれば、以下の効果が得られる。
【００１９】
第１の発明では、使用者の特性（例えば、年齢、性別、体調など）についての情報が、例えば空気調和機（空気調和機と同一ネットワークにつながった他の機器（給湯機やその他家電など）を含む）に登録されている場合は、その登録された情報に基づいて使用者の特性を検知できる。
【００２０】
第２の発明では、使用者の特性（例えば、年齢、性別、体調など）についての情報が空気調和機に登録されている場合は、その登録された情報に基づいて使用者の特性を検知できる。
【００２１】
第３の発明では、使用者の体格についての情報が空気調和機に登録されている場合は、使用者検知手段によって空調空間にいる使用者の体格を検知して、その検知された使用者の体格と登録された情報に基づいて使用者の特性を検知できる。
【００２２】
第４の発明では、使用者の特性（例えば、年齢、性別、体調、顔写真など）についての情報が空気調和機に登録されている場合は、撮像手段で撮像された使用者の撮像情報と、登録された情報に基づいて使用者の特性を検知できる。
【００２３】
第５の発明では、使用者の特性（例えば、年齢、性別、体調など）についての情報が、使用者が個々に所持している端末装置（例えば、体に身につけた通信端末） に登録されている場合は、その端末装置に登録された情報に基づいて使用者の特性を検知できる。
【００２４】
第６の発明では、撮像手段で撮像された使用者の顔に基づいて、顔識別年齢認証プログラムを使用して使用者の年齢などを検知して、使用者の特性を検知できる。
【図面の簡単な説明】
【００２５】
【図１】本発明の第１実施形態に係る空気調和機の冷媒回路を示す回路図である。
【図２】第１実施形態に係る空気調和機の制御部を説明する図である。
【図３】第１実施形態における判定図である。
【図４】第１実施形態に係る空気調和機の動作を説明する図である。
【図５】本発明の第２実施形態に係る空気調和機の制御部を説明する図である。
【図６】第２実施形態に係る空気調和機の動作を説明する図である。
【図７】本発明の第３実施形態に係る空気調和機の制御部を説明する図である。
【図８】第３実施形態に係る空気調和機の動作を説明する図である。
【図９】本発明の第４実施形態に係る空気調和機の制御部を説明する図である。
【図１０】第４実施形態に係る空気調和機の動作を説明する図である。
【図１１】本発明の第５実施形態に係る空気調和機の制御部を説明する図である。
【図１２】第５実施形態に係る空気調和機の動作を説明する図である。
【図１３】本発明の変形例における判定図である。
【発明を実施するための形態】
【００２６】
〔第１実施形態〕
以下、本発明の第１実施形態に係る空気調和機１について説明する。
【００２７】
＜空気調和機１の全体構成＞
図１に示すように、本実施形態の空気調和機１は、室内に設置される室内機２と、室外に設置される室外機３とを備えている。そして、空気調和機１は、圧縮機１０と、四方弁１１、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００２８】
空気調和機１は、自動運転、冷房運転、暖房運転、除湿運転及び送風運転のいずれかの運転が可能であって、リモコン３０によって、いずれかの運転を選択して運転開始操作や運転停止操作を行ったり、室内温度の設定温度を設定することができる。また、リモコン３０では、使用者の特性についての情報を登録する操作を行うことができる。
【００２９】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００３０】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００３１】
そして、図１に示すように、室内機２には、室内温度を検出する室内温度センサ２１と、室内湿度を検出する室内湿度センサ２２とが配置される。
【００３２】
図２に示すように、空気調和機１の制御部５０は、使用者特性情報記憶部５１と、開始条件記憶部５２と、使用者特性検知部５３と、開始条件決定部５４と、開始判定部５５とを備えている。
【００３３】
使用者特性情報記憶部５１は、使用者がリモコンを操作して、使用者の特性についての情報を登録した場合に、その登録された情報を記憶する。使用者によって登録される使用者の特性についての情報としては、例えば年齢、性別、体調などがある。本実施形態では、使用者がリモコンを操作して、使用者の年齢を登録するとともに、下記の使用者についての質問に対する回答を登録する。
（質問１）：「寒がり」「暑がり」「寒さ暑さに強い」「寒さ暑さに非常に強い」のいずれか
（質問２）： 「体調は良くない」「健康」のいずれか
（質問３）：「体力がない」「体力がある」のいずれか
【００３４】
開始条件記憶部５２は、空調空間内の温度および湿度を低下させる強制運転を開始する強制運転開始条件を記憶する。強制運転は、室内温度や室内湿度が所定範囲（強制運転ゾーン）になったときに開始されるので、強制運転開始条件として室内温度や室内湿度についての所定範囲（強制運転ゾーン）が記憶されている。本実施形態では、強制運転開始条件が使用者の特性にしたがって変更されるので、開始条件記憶部５２は、異なる使用者の特性に対応した複数の強制運転開始条件を記憶する。詳しくは、図３の判定図に基づいて説明する。
【００３５】
使用者特性検知部５３は、空調空間内にいる使用者の特性を検知する。本実施形態では、使用者特性検知部５３は、使用者特性情報記憶部５１に記憶された情報に基づいて使用者の特性を検知するので、使用者特性情報記憶部５１に記憶された情報に対応した使用者が空調空間内にいるものと考える。
【００３６】
開始条件決定部５４は、使用者特性検知部５３で検知した使用者の特性に基づいて、その使用者の特性に対応した強制運転開始条件を、開始条件記憶部５２に記憶された複数の強制運転開始条件から決定して記憶する。本実施形態では、開始条件記憶部５２が、後述する強制運転ゾーンＡ−Ｃを記憶しており、開始条件決定部５４は、使用者の年齢が15歳以下または60歳以上の場合と、（質問１）に対し「寒がり」または「暑がり」と回答した体温管理能力の低いと思われる場合と、（質問２）に対し「体調は良くない」と回答した場合と、質問（３）に対し「体力がない」と回答した場合のいずれかの場合に強制運転開始条件を強制運転ゾーンＡに決定し、使用者の年齢が16歳〜59歳、かつ、（質問１）に対し「寒さ暑さに強い」と回答し、かつ、（質問２）に対し「健康」と回答した体温管理能力の備わった健康な大人である場合に強制運転開始条件を強制運転ゾーンＢに決定し、使用者の年齢が16歳〜35歳、かつ、（質問１）に対し「寒さ暑さに非常に強い」と回答し、かつ、（質問２）に対し「健康」と回答し、かつ、（質問３）に対し「体力がある」と回答した体温管理能力の備わった健康で人一倍体力のある若者である場合に強制運転開始条件を強制運転ゾーンＣに決定する。そして、使用者特性検知部５３で検知した使用者の特性が、すでに決定して記憶している強制運転開始条件に対応した使用者の特性と同一である場合は、開始条件決定部５４に記憶される強制運転開始条件は変更されないが、使用者特性検知部５３で検知した使用者の特性が、すでに決定して記憶している強制運転開始条件に対応した使用者の特性と同一でない場合は、開始条件決定部５４に記憶される強制運転開始条件が変更される。
【００３７】
開始判定部５５は、室内温度センサ２１で検知される室内温度や室内湿度センサ２２で検知される室内湿度と、開始条件決定部５４に記憶された強制運転開始条件とに基づいて、強制運転を開始するか否かを判定する。詳しくは、開始判定部５５は、室内温度や室内湿度が判定図の強制運転ゾーンにある場合に、強制運転（冷房運転）を開始すると判定する。
【００３８】
また、空気調和機１の制御部５０には、圧縮機１０と、四方弁１１、膨張弁１３と、室内温度センサ２１と、室内湿度センサ２２と、リモコン３０とが接続される。したがって、制御部は、リモコン３０からの指令（運転開始操作や室内温度の設定温度等）や、室内温度センサ２１で検知される室内温度や、室内湿度センサ２２で検知される室内湿度に基づいて、空気調和機１の運転を制御する。
【００３９】
空気調和機１では、強制運転を開始するかを判定する場合に、室内温度及び室内湿度についての判定図が使用される。判定図は、図３に示すように、縦軸は室内湿度（相対湿度）を示し、横軸は室内温度を示している。
【００４０】
図３は、強制運転を開始するかを判定する判定図の一例であるが、この判定図には、強制運転ゾーンが設定される。強制運転ゾーンは、室内が高温状態や高湿状態であって、室内温度や室内湿度を低下させる必要がある領域である。したがって、強制運転ゾーンでない領域は、室内温度や室内湿度を低下させる必要がない領域であると考えられる。
【００４１】
図３の判定図において、Ａ点〜Ｆ点は、下記の室内温度及び室内湿度である点を示す。
・Ａ１点：室内温度が２７度であり、室内湿度が１００％である点
・Ａ２点：室内温度が２７度であり、室内湿度が７０〜８０％の間のｙ１である点
・Ａ３点：室内温度が３３度であり、室内湿度が３０％である点
・Ｂ１点：室内温度が２７．５度であり、室内湿度が１００％である点
・Ｂ２点：室内温度が２７．５度であり、室内湿度が７０〜８０％の間のｙ２である点
・Ｂ３点：室内温度が３３．５度であり、室内湿度が３０％である点
・Ｃ１点：室内温度が２８度であり、室内湿度が１００％である点
・Ｃ２点：室内温度が２８度であり、室内湿度が７０〜８０％の間のｙ３である点
・Ｃ３点：室内温度が３４度であり、室内湿度が３０〜４０％の間のｙ４である点
【００４２】
そして、図３の判定図では、３つの異なる強制運転ゾーンが図示されている。３つの異なる強制運転ゾーンとは、Ａ１点とＡ２点とＡ３点を接続した線Ａの右上の領域（室内温度及び室内湿度が線Ａ上にある場合を含む）である強制運転ゾーンＡと、Ｂ１点とＢ２点とＢ３点を接続した線Ｂの右上の領域（室内温度及び室内湿度が線Ｂ上にある場合を含む）である強制運転ゾーンＢと、Ｃ１点とＣ２点とＣ３点を接続した線Ｃの右上の領域（室内温度及び室内湿度が線Ｃ上にある場合を含む）である強制運転ゾーンＣである。
【００４３】
この３つの異なる強制運転ゾーンは、空調空間にいる使用者の体調や年齢により暑さや寒さに耐えられる環境には個人差が生じるので、使用者の特性に対応するように設定されている。例えば、強制運転ゾーンＡは、使用者の特性にかかわらず強制運転が必要である領域であり、強制運転ゾーンＢは、使用者が健康な人であり体調が悪くない場合に強制運転が必要である領域であり、強制運転ゾーンＣは、非常に体力があり体温調整が問題なく出来る健康な若者である場合に強制運転が必要である領域である。
【００４４】
したがって、空気調和機１では、室内温度及び室内湿度が、使用者の特性に対応した強制運転ゾーンにある場合には、室内温度や室内湿度を低下させる必要があるとして、冷房運転（強制運転）が開始される。空気調和機１において強制運転モードでの冷房運転は、設定温度２８℃の冷房運転である。そして、室内温度が設定温度よりも１度以上低下したとき（室内温度が２７度以下になったとき）に、冷房運転がサーモオフ状態となる。ここで、サーモオフ状態は、圧縮機が停止され、室内ファン１６が駆動された状態である。このように、空気調和機１では、室内が高温状態や高湿状態である場合に、室内温度及び室内湿度に基づいて、冷房運転（強制運転）が自動的に開始される。したがって、室内が高温状態や高湿状態になったときに、使用者がリモコン３０に対して運転開始操作を行わなかった場合でも、冷房運転（強制運転）が自動的に開始されて、室内温度及び室内湿度が低下する。そして、室内温度及び室内湿度が高温ゾーンにない場合は、室内温度や室内湿度を低下させる必要がないので、冷房運転（強制運転）を行わない。
【００４５】
次に、空気調和機１の動作について、図４を参照しつつ説明する。
【００４６】
まず、空調空間にいる使用者によってリモコン３０が操作され、使用者の特性についての情報が空気調和機１に登録される（ステップＳ１）。使用者によって登録される情報には、例えば使用者の年齢、性別、体調などがあって、その登録された情報は使用者特性記憶部５１に記憶される。
【００４７】
そして、使用者特性検知部５３において、使用者特性情報記憶部５１に記憶された情報に基づいて使用者の特性が検知される（ステップＳ２）。すると、開始条件決定部５４において、使用者検知部５３で検知した使用者の特性に基づいて、その使用者の特性に対応した強制運転開始条件を、開始条件記憶部５２に記憶された複数の強制運転開始条件から決定して記憶する（ステップＳ３）。
【００４８】
その後、開始判定部５５において、室内温度センサ２１で検知される室内温度や室内湿度センサ２２で検知される室内湿度と、開始条件決定部５４に記憶された強制運転開始条件とに基づいて、強制運転を開始するか否か（室内温度や室内湿度が、判定図において使用者検知部５３で検知した使用者の特性に対応した強制運転ゾーンにあるか否か）を判定する（ステップＳ４）。
【００４９】
そして、室内温度や室内湿度が判定図の強制運転ゾーンにあると判断した場合には（ステップＳ４：ＹＥＳ）、強制運転が開始される（ステップＳ５）。一方、室内温度や室内湿度が判定図の強制運転ゾーンにない場合には（ステップＳ４：ＮＯ）、ステップＳ４を繰り返す。
【００５０】
＜本実施形態の空気調和機の特徴＞
本実施形態の空気調和機１では、室内が室内温度及び室内湿度を低下させる必要のある状態になった場合に、室内温度及び室内湿度を低下させる冷房運転（強制運転）が自動的に開始される。したがって、室内温度及び室内湿度が高い状態で長時間継続されるのを抑制できるので、空気調和機１の使用者が熱中症等になることを防止できるとともに、空気調和機の消費電気代を低減できる。
【００５１】
〔第２実施形態〕
次に、本発明の第２実施形態に係る空気調和機１０１について説明する。
【００５２】
本実施形態に係る空気調和機１０１が、第１実施形態に係る空気調和機１と異なる点は、第１実施形態では、使用者によって登録された情報だけに基づいて使用者の特性が検知されるのに対して、本実施形態では、使用者によって登録された情報および検知手段で検知された使用者の体格に基づいて使用者の特性が検知される点である。その他の構成は、第１実施形態に係る空気調和機１と同一であるので、その説明を省略する。
【００５３】
図５に示すように、空気調和機１０１の制御部１５０は、使用者特性情報記憶部５１と、開始条件記憶部５２と、使用者特性検知部１５３と、開始条件決定部５４と、開始判定部５５とを備えている。また、空気調和機１０１の制御部１５０には、圧縮機１０と、四方弁１１、膨張弁１３と、室内温度センサ２１と、室内湿度センサ２２と、リモコン３０と、使用者検知部１２０とが接続される。使用者検知部１２０としては、例えば室内機２に取り付けられたカメラや赤外線センサやサーモカメラなどが考えられる。カメラや赤外線センサやサーモカメラでは、画像認識や熱検知画像解析により、空調空間にいる使用者の体格などを検知することができる。
【００５４】
図５に示すように、空気調和機１０１の制御部１５０は、使用者特性情報記憶部５１と、開始条件記憶部５２と、使用者特性検知部１５３と、開始条件決定部５４と、開始判定部５５とを備えている。また、空気調和機１０１の制御部１５０には、圧縮機１０と、四方弁１１、膨張弁１３と、室内温度センサ２１と、室内湿度センサ２２と、リモコン３０と、使用者検知部１２０とが接続される。使用者検知部１２０としては、例えば室内機２に取り付けられたカメラや赤外線センサやサーモカメラなどが考えられる。カメラや赤外線センサやサーモカメラでは、空調空間にいる使用者の体格などを検知することができる。
【００５５】
使用者特性情報記憶部５１は、使用者がリモコンを操作して、使用者の特性についての情報を登録した場合に、その登録された情報を記憶する。使用者によって登録される使用者の特性についての情報としては、例えば使用者の年齢、性別、体調、体格などが考えられる。本実施形態では、使用者がリモコンを操作して、使用者の年齢を登録するとともに、使用者の体格を登録する。
【００５６】
開始条件記憶部５２は、空調空間内の温度および湿度を低下させる強制運転を開始する強制運転開始条件を記憶する。
【００５７】
使用者特性検知部１５３は、空調空間内にいる使用者の特性を検知する。本実施形態では、使用者特性検知部１５３は、使用者特性情報記憶部５１に記憶された情報および使用者検知部１２０で検知された使用者の体格に基づいて使用者を特定し、使用者の年齢（使用者の特性）を検知する。
【００５８】
開始条件決定部５４は、使用者特性検知部１５３で検知した使用者の特性に基づいて、その使用者の特性に対応した強制運転開始条件を、開始条件記憶部５２に記憶された複数の強制運転開始条件から決定して記憶する。本実施形態では、開始条件記憶部５２が、強制運転ゾーンＡ−Ｃを記憶しており、開始条件決定部５４は、使用者の年齢が15歳以下または60歳以上の場合に強制運転開始条件を強制運転ゾーンＡに決定し、使用者の年齢が16歳〜59歳で体温管理能力の備わった健康な大人である場合に強制運転開始条件を強制運転ゾーンＢに決定し、使用者の年齢が16歳〜35歳で体温管理能力の備わった健康で人一倍体力のある若者である場合に強制運転開始条件を強制運転ゾーンＣに決定する。
【００５９】
開始判定部５５は、室内温度センサ２１で検知される室内温度や室内湿度センサ２２で検知される室内湿度と、開始条件決定部に記憶された強制運転開始条件とに基づいて、強制運転を開始するか否かを判定する。詳しくは、開始判定部５５は、室内温度や室内湿度が判定図の強制運転ゾーンにある場合に、強制運転（冷房運転）を開始すると判定する。
【００６０】
次に、空気調和機１０１の動作について、図６を参照しつつ説明する。
【００６１】
まず、空調空間にいる使用者によってリモコン３０が操作され、使用者の特性についての情報が空気調和機１に登録される（ステップＳ１０１）。使用者によって登録される情報には、例えば使用者の年齢、性別、体調、体格などがあって、その登録された情報は使用者特性記憶部５１に記憶される。
【００６２】
そして、使用者検知部１２０によって使用者の体格が検知される（ステップＳ１０２）と、使用者特性検知部１５３において、使用者特性情報記憶部５１に記憶された情報および使用者検知部１２０で検知された使用者の体格に基づいて使用者を特定し、使用者の年齢（使用者の特性）が検知される（ステップＳ１０３）。すると、開始条件決定部５４において、使用者特性検知部１５３で検知した使用者の年齢に基づいて、その使用者の年齢に対応した強制運転開始条件を、開始条件記憶部５２に記憶された複数の強制運転開始条件から決定して記憶する（ステップＳ１０４）。
【００６３】
その後、開始判定部５５において、室内温度センサ２１で検知される室内温度や室内湿度センサ２２で検知される室内湿度と、開始条件決定部に記憶された強制運転開始条件とに基づいて、強制運転を開始するか否か（室内温度や室内湿度が判定図の強制運転ゾーンにあるか否か）を判定する（ステップＳ１０５）。
【００６４】
そして、室内温度や室内湿度が判定図の強制運転ゾーンにあると判断した場合には（ステップＳ１０５：ＹＥＳ）、強制運転が開始される（ステップＳ１０６）。一方、室内温度や室内湿度が判定図の強制運転ゾーンにない場合には（ステップＳ１０５：ＮＯ）、ステップＳ１０５を繰り返す。
【００６５】
＜本実施形態の空気調和機の特徴＞
本実施形態の空気調和機１０１では、室内が室内温度及び室内湿度を低下させる必要のある状態になった場合に、室内温度及び室内湿度を低下させる強制運転が自動的に開始される。したがって、室内温度及び室内湿度が高い状態で長時間継続されるのを抑制できるので、空気調和機１０１の使用者が熱中症等になることを防止できるとともに、空気調和機の消費電気代を低減できる。
【００６６】
〔第３実施形態〕
次に、本発明の第３実施形態に係る空気調和機２０１について説明する。
【００６７】
本実施形態に係る空気調和機２０１が、第１実施形態に係る空気調和機１と異なる点は、第１実施形態では、使用者によって登録された情報だけに基づいて使用者の特性が検知されるのに対して、本実施形態では、使用者によって登録された情報および空調空間にいる使用者を撮像する撮像手段で撮像された使用者の撮像情報に基づいて使用者の特性が検知される点である。その他の構成は、第１実施形態に係る空気調和機１と同一であるので、その説明を省略する。
【００６８】
図７に示すように、空気調和機２０１の制御部２５０は、使用者特性情報記憶部５１と、開始条件記憶部５２と、使用者特性検知部２５３と、開始条件決定部５４と、開始判定部５５とを備えている。また、空気調和機１０１の制御部１５０には、圧縮機１０と、四方弁１１、膨張弁１３と、室内温度センサ２１と、室内湿度センサ２２と、リモコン３０と、撮像部２２０とが接続される。撮像部２２０としては、例えば室内機２に取り付けられたカメラなどが考えられる。カメラでは、画像認識により、空調空間にいる使用者の体格や顔などを検知することができる。
【００６９】
使用者特性情報記憶部５１は、使用者がリモコンを操作して、使用者の特性についての情報を登録した場合に、その登録された情報を記憶する。使用者によって登録される使用者の特性についての情報としては、例えば使用者の年齢、性別、体調、顔写真などが考えられる。本実施形態では、使用者がリモコンを操作して、使用者の年齢を登録するとともに、使用者の体格や顔写真を登録する。
【００７０】
開始条件記憶部５２は、空調空間内の温度および湿度を低下させる強制運転を開始する強制運転開始条件を記憶する。
【００７１】
使用者特性検知部２５３は、空調空間内にいる使用者の特性を検知する。本実施形態では、使用者特性検知部２５３は、使用者特性情報記憶部５１に記憶された情報および撮像部２２０で検知された使用者の体格や顔に基づいて使用者を特定し、使用者の年齢（使用者の特性）を検知する。
【００７２】
開始条件決定部５４は、使用者特性検知部２５３で検知した使用者の特性に基づいて、その使用者の特性に対応した強制運転開始条件を、開始条件記憶部５２に記憶された複数の強制運転開始条件から決定して記憶する。本実施形態では、開始条件記憶部５２が、強制運転ゾーンＡ−Ｃを記憶しており、開始条件決定部５４は、使用者の年齢が15歳以下または60歳以上の場合に強制運転開始条件を強制運転ゾーンＡに決定し、使用者の年齢が16歳〜59歳で体温管理能力の備わった健康な大人である場合に強制運転開始条件を強制運転ゾーンＢに決定し、使用者の年齢が16歳〜35歳で体温管理能力の備わった健康で人一倍体力のある若者である場合に強制運転開始条件を強制運転ゾーンＣに決定する。
【００７３】
開始判定部５５は、室内温度センサ２１で検知される室内温度や室内湿度センサ２２で検知される室内湿度と、開始条件決定部に記憶された強制運転開始条件とに基づいて、強制運転を開始するか否かを判定する。詳しくは、開始判定部５５は、室内温度や室内湿度が判定図の強制運転ゾーンにある場合に、強制運転（冷房運転）を開始すると判定する。
【００７４】
次に、空気調和機２０１の動作について、図８を参照しつつ説明する。
【００７５】
まず、空調空間にいる使用者によってリモコン３０が操作され、使用者の特性についての情報が空気調和機１に登録される（ステップＳ２０１）。使用者によって登録される情報には、例えば使用者の年齢、性別、体調、顔写真などがあって、その登録された情報は使用者特性記憶部５１に記憶される。
【００７６】
そして、撮像部２２０によって使用者が撮像されて、使用者の体格や顔が検知される（ステップＳ２０２）と、使用者特性検知部２５３において、使用者特性情報記憶部５１に記憶された情報および撮像部２２０で検知された使用者の体格や顔に基づいて使用者を特定し、使用者の年齢（使用者の特性）が検知される（ステップＳ２０３）。すると、開始条件決定部５４において、使用者特性検知部２５３で検知した使用者の年齢に基づいて、その使用者の年齢に対応した強制運転開始条件を、開始条件記憶部５２に記憶された複数の強制運転開始条件から決定して記憶する（ステップＳ２０４）。
【００７７】
その後、開始判定部５５において、室内温度センサ２１で検知される室内温度や室内湿度センサ２２で検知される室内湿度と、開始条件決定部に記憶された強制運転開始条件とに基づいて、強制運転を開始するか否か（室内温度や室内湿度が判定図の強制運転ゾーンにあるか否か）を判定する（ステップＳ２０５）。
【００７８】
そして、室内温度や室内湿度が判定図の強制運転ゾーンにあると判断した場合には（ステップＳ２０５：ＹＥＳ）、強制運転が開始される（ステップＳ２０６）。一方、室内温度や室内湿度が判定図の強制運転ゾーンにない場合には（ステップＳ２０５：ＮＯ）、ステップＳ２０５を繰り返す。
【００７９】
＜本実施形態の空気調和機の特徴＞
本実施形態の空気調和機２０１では、室内が室内温度及び室内湿度を低下させる必要のある状態になった場合に、室内温度及び室内湿度を低下させる強制運転が自動的に開始される。したがって、室内温度及び室内湿度が高い状態で長時間継続されるのを抑制できるので、空気調和機２０１の使用者が熱中症等になることを防止できるとともに、空気調和機の消費電気代を低減できる。
【００８０】
〔第４実施形態〕
次に、本発明の第４実施形態に係る空気調和機３０１について説明する。
【００８１】
本実施形態に係る空気調和機３０１が、第１実施形態に係る空気調和機１と異なる点は、第１実施形態では、使用者によって登録された情報だけに基づいて使用者の特性が検知されるのに対して、本実施形態では、空調空間内にある使用者の端末装置３２１に記憶された端末情報に基づいて使用者の特性が検知される点である。その他の構成は、第１実施形態に係る空気調和機１と同一であるので、その説明を省略する。
【００８２】
図９に示すように、空気調和機３０１の制御部３５０は、使用者特性情報記憶部５１と、開始条件記憶部５２と、使用者特性検知部３５３と、開始条件決定部５４と、開始判定部５５とを備えている。また、空気調和機３０１の制御部３５０には、圧縮機１０と、四方弁１１、膨張弁１３と、室内温度センサ２１と、室内湿度センサ２２と、使用者の端末装置３２１との間で情報の通信を行う通信部３２０とが接続される。通信部３２０は、例えば無線LAN、ZigBee、bluetooth、光通信などであってよい。したがって、空調空間内にある使用者の端末装置３２１に記憶された端末情報が、通信部３２０に供給される。
【００８３】
使用者特性情報記憶部５１は、空調空間内にある使用者の端末装置３２１から使用者の特性についての情報が供給された場合に、その供給された情報を記憶する。使用者の端末装置３２１から供給される使用者の特性についての情報としては、例えば使用者の年齢、性別、体調などが考えられる。本実施形態では、使用者によって空調空間内にある使用者の端末装置３２１に、使用者の年齢が登録されるとともに、下記の使用者についての質問に対する回答が登録されている。
（質問１）：「寒がり」「暑がり」「寒さ暑さに強い」「寒さ暑さに非常に強い」のいずれか
（質問２）： 「体調は良くない」「健康」のいずれか
（質問３）：「体力がない」「体力がある」のいずれか
【００８４】
開始条件記憶部５２は、空調空間内の温度および湿度を低下させる強制運転を開始する強制運転開始条件を記憶する。
【００８５】
使用者特性検知部３５３は、空調空間内にいる使用者の特性を検知する。本実施形態では、使用者特性検知部３５３は、空調空間内にある使用者の端末装置３２１に記憶された端末情報に基づいて使用者の特性を検知する。
【００８６】
開始条件決定部５４は、使用者特性検知部３５３で検知した使用者の特性に基づいて、その使用者の特性に対応した強制運転開始条件を、開始条件記憶部５２に記憶された複数の強制運転開始条件から決定して記憶する。本実施形態では、開始条件記憶部５２が、強制運転ゾーンＡ−Ｃを記憶しており、開始条件決定部５４は、使用者の年齢が15歳以下または60歳以上の場合と、（質問１）に対し「寒がり」または「暑がり」と回答した体温管理能力の低いと思われる場合と、（質問２）に対し「体調は良くない」と回答した場合と、質問（３）に対し「体力がない」と回答した場合のいずれかの場合に強制運転開始条件を強制運転ゾーンＡに決定し、使用者の年齢が16歳〜59歳、かつ、（質問１）に対し「寒さ暑さに強い」と回答し、かつ、（質問２）に対し「健康」と回答した体温管理能力の備わった健康な大人である場合に強制運転開始条件を強制運転ゾーンＢに決定し、使用者の年齢が16歳〜35歳、かつ、（質問１）に対し「寒さ暑さに非常に強い」と回答し、かつ、（質問２）に対し「健康」と回答し、かつ、（質問３）に対し「体力がある」と回答した体温管理能力の備わった健康で人一倍体力のある若者である場合に強制運転開始条件を強制運転ゾーンＣに決定する。
【００８７】
開始判定部５５は、室内温度センサ２１で検知される室内温度や室内湿度センサ２２で検知される室内湿度と、開始条件決定部に記憶された強制運転開始条件とに基づいて、強制運転を開始するか否かを判定する。詳しくは、開始判定部５５は、室内温度や室内湿度が判定図の強制運転ゾーンにある場合に、強制運転（冷房運転）を開始すると判定する。
【００８８】
次に、空気調和機３０１の動作について、図１０を参照しつつ説明する。
【００８９】
まず、使用者によって端末装置３２１に対して使用者の特性についての情報が登録される（ステップＳ３０１）。使用者によって登録される情報には、例えば使用者の年齢、性別、体調などがある。そして、使用者の端末装置３２１が空調空間にある場合には、その登録された情報が使用者の端末装置３２１から空気調和機３０１に供給され、その供給された情報は使用者特性記憶部５１に記憶される（ステップＳ３０２）。
【００９０】
そして、使用者特性検知部３５３において、使用者特性情報記憶部５１に記憶された情報に基づいて使用者の特性が検知される（ステップＳ３０３）。すると、開始条件決定部５４において、使用者特性検知部３５３で検知した使用者の特性に基づいて、その使用者の特性に対応した強制運転開始条件を、開始条件記憶部５２に記憶された複数の強制運転開始条件から決定して記憶する（ステップＳ３０４）。
【００９１】
その後、開始判定部５５において、室内温度センサ２１で検知される室内温度や室内湿度センサ２２で検知される室内湿度と、開始条件決定部に記憶された強制運転開始条件とに基づいて、強制運転を開始するか否か（室内温度や室内湿度が判定図の強制運転ゾーンにあるか否か）を判定する（ステップＳ３０５）。
【００９２】
そして、室内温度や室内湿度が判定図の強制運転ゾーンにあると判断した場合には（ステップＳ３０５：ＹＥＳ）、強制運転が開始される（ステップＳ３０６）。一方、室内温度や室内湿度が判定図の強制運転ゾーンにない場合には（ステップＳ３０５：ＮＯ）、ステップＳ３０５を繰り返す。
【００９３】
＜本実施形態の空気調和機の特徴＞
本実施形態の空気調和機３０１では、室内が室内温度及び室内湿度を低下させる必要のある状態になった場合に、室内温度及び室内湿度を低下させる強制運転が自動的に開始される。したがって、室内温度及び室内湿度が高い状態で長時間継続されるのを抑制できるので、空気調和機３０１の使用者が熱中症等になることを防止できるとともに、空気調和機の消費電気代を低減できる。
【００９４】
〔第５実施形態〕
次に、本発明の第５実施形態に係る空気調和機４０１について説明する。
【００９５】
本実施形態に係る空気調和機４０１が、第１実施形態に係る空気調和機１と異なる点は、第１実施形態では、使用者によって登録された情報だけに基づいて使用者の特性が検知されるのに対して、本実施形態では、空調空間にいる使用者の顔を撮像する撮像手段で撮像された使用者の顔に基づいて使用者の特性が検知される点である。その他の構成は、第１実施形態に係る空気調和機１と同一であるので、その説明を省略する。
【００９６】
図１１に示すように、空気調和機４０１の制御部４５０は、顔識別部４５１と、開始条件記憶部５２と、使用者特性検知部４５３と、開始条件決定部５４と、開始判定部５５とを備えている。また、空気調和機４０１の制御部４５０には、圧縮機１０と、四方弁１１、膨張弁１３と、室内温度センサ２１と、室内湿度センサ２２と、撮像部４２０とが接続される。撮像部４２０としては、例えば室内機２に取り付けられたカメラなどが考えられる。カメラで撮影することにより、空調空間にいる使用者の顔から年齢特性を検知することができる。
【００９７】
顔識別部４５１は、撮像部４２０で撮像された空調空間にいる使用者の顔に基づいて使用者の年齢を識別する。したがって、顔識別部４５１は、顔識別年齢認証プログラムを有しており、その顔識別年齢認証プログラムを使用して使用者の年齢などを識別する。
【００９８】
開始条件記憶部５２は、空調空間内の温度および湿度を低下させる強制運転を開始する強制運転開始条件を記憶する。
【００９９】
使用者特性検知部４５３は、空調空間内にいる使用者の特性を検知する。本実施形態では、使用者特性検知部４５３は、空調空間にいる使用者の顔を撮像する撮像部４２０で撮像された使用者の顔に基づいて使用者の年齢を検知する。
【０１００】
開始条件決定部５４は、使用者特性検知部１５３で検知した使用者の特性に基づいて、その使用者の特性に対応した強制運転開始条件を、開始条件記憶部５２に記憶された複数の強制運転開始条件から決定して記憶する。本実施形態では、開始条件記憶部５２が、強制運転ゾーンＡ−Ｃを記憶しており、開始条件決定部５４は、使用者の年齢が15歳以下または60歳以上の場合に強制運転開始条件を強制運転ゾーンＡに決定し、使用者の年齢が16歳〜59歳で健康な大人である場合に強制運転開始条件を強制運転ゾーンＢに決定し、使用者の年齢が16歳〜35歳で特に健康な若者である場合に強制運転開始条件を強制運転ゾーンＣに決定する。
【０１０１】
開始判定部５５は、室内温度センサ２１で検知される室内温度や室内湿度センサ２２で検知される室内湿度と、開始条件決定部に記憶された強制運転開始条件とに基づいて、強制運転を開始するか否かを判定する。詳しくは、開始判定部５５は、室内温度や室内湿度が判定図の強制運転ゾーンにある場合に、強制運転（冷房運転）を開始すると判定する。
【０１０２】
次に、空気調和機４０１の動作について、図１２を参照しつつ説明する。
【０１０３】
まず、撮像部４２０によって使用者が撮像される（ステップＳ４０１）と、顔識別部４５１において顔識別年齢認証プログラムを使用して使用者の年齢が識別される（ステップＳ４０２）。そして、使用者特性検知部４５３において、顔識別部４５１において識別された使用者の年齢に基づいて使用者の特性が検知される（ステップＳ４０３）。すると、開始条件決定部５４において、使用者特性検知部４５３で検知した使用者の特性に基づいて、その使用者の特性に対応した強制運転開始条件を、開始条件記憶部５２に記憶された複数の強制運転開始条件から決定して記憶する（ステップＳ４０４）。
【０１０４】
その後、開始判定部５５において、室内温度センサ２１で検知される室内温度や室内湿度センサ２２で検知される室内湿度と、開始条件決定部に記憶された強制運転開始条件とに基づいて、強制運転を開始するか否か（室内温度や室内湿度が判定図の強制運転ゾーンにあるか否か）を判定する（ステップＳ４０５）。
【０１０５】
そして、室内温度や室内湿度が判定図の強制運転ゾーンにあると判断した場合には（ステップＳ４０５：ＹＥＳ）、強制運転が開始される（ステップＳ４０６）。一方、室内温度や室内湿度が判定図の強制運転ゾーンにない場合には（ステップＳ４０５：ＮＯ）、ステップＳ４０５を繰り返す。
【０１０６】
＜本実施形態の空気調和機の特徴＞
本実施形態の空気調和機４０１では、室内が室内温度及び室内湿度を低下させる必要のある状態になった場合に、室内温度及び室内湿度を低下させる強制運転が自動的に開始される。したがって、室内温度及び室内湿度が高い状態で長時間継続されるのを抑制できるので、空気調和機４０１の使用者が熱中症等になることを防止できるとともに、空気調和機の消費電気代を低減できる。
【０１０７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１０８】
例えば、上述の第１〜第５実施形態では、室内温度及び室内湿度に基づいて、室内温度及び室内湿度が強制運転ゾーンにある場合に強制運転が自動的に開始されるが、室内温度に基づいて、室内温度が強制運転ゾーンにある場合に強制運転が自動的に開始されてもよい。この場合、強制運転を開始する判定図に、図１３に示す判定図を使用する。図１３の判定図には、図３と同様に、複数の強制運転が設定される。強制運転ゾーンとして、線Ａより右側の領域は室内温度が２７度以上の領域であり、線Ｂより右側の領域は室内温度が２７．５度以上の領域であり、線Ｃより右側の領域は室内温度が２８度以上の領域である。この場合も、室内温度が強制運転ゾーンにある場合には、冷房運転（強制運転）が開始される。そして、空気調和機の動作は、第１〜第５実施形態において室内温度及び室内湿度に基づいて行われるのが、室内温度に基づいて行われる点で異なるが、その他は、第１〜第５実施形態と同様の方法で行われる。
【０１０９】
また、上述の第１〜第５実施形態では、室内温度及び室内湿度に基づいて、室内温度及び室内湿度が強制運転ゾーンにある場合に強制運転が自動的に開始されるが、室内湿度に基づいて、室内湿度が強制運転ゾーンにある場合に強制運転が自動的に開始されてもよい。そして、空気調和機の動作は、第１〜第５実施形態において室内温度及び室内湿度に基づいて行われるのが、室内湿度に基づいて行われる点で異なるが、その他は、第１〜第５実施形態と同様の方法で行われる。
【０１１０】
また、上述の第１〜第５実施形態では、室内機に配置された室内温度センサ及び室内湿度センサで検出された室内温度及び室内湿度に基づいて強制運転が開始されるが、その他の空調空間（例えばリモコン）に配置された室内温度センサ及び室内湿度センサで検出された室内温度及び室内湿度に基づいて強制運転が開始されてもよい。
【０１１１】
また、上述の第１〜第５実施形態では、室内温度及び室内湿度が強制運転ゾーンにある場合に、室内温度や室内湿度を低下させる必要があるとして、強制運転として冷房運転が開始されるが、強制運転として除湿運転が開始されてもよい。
【０１１２】
また、上述の第１〜第５実施形態では、空調空間にいる使用者が１人である場合について説明したが、空調空間にいる使用者が複数人である場合は、使用者検知部において、複数の使用者のうちで強制運転ゾーンが最も広い使用者の特性を検知するようにしてもよい。空調空間にいる使用者が複数人である場合とは、例えば、第１実施形態では、リモコンによって複数の使用者の特性についての情報が登録された場合であって、第２実施形態では、使用者検知部によって複数の使用者の体格を検知した場合であって、第３および第５実施形態では、撮像部によって複数の使用者を検知した場合であって、第４実施形態では、複数の使用者の端末装置が空調空間にある場合である。
【０１１３】
また、上述の第１〜第５実施形態では、使用者の特性が異なる場合について３つの強制運転ゾーンが設定された判定図（図３）に基づいて強制運転が開始される場合を説明したが、判定図に設定される強制運転ゾーンの範囲や数は変更してもよい。
【０１１４】
また、上述の第１〜第５実施形態では、使用者の特性を検知する方法の例を示したのであって、使用者の特性を検知する方法は、その他の方法であってもよい。したがって、例えば、第１〜第４実施形態では、使用者の特性についての情報が空気調和機に登録される場合を説明したが、使用者の特性についての情報が空気調和機と同一ネットワークにつながった他の機器（給湯機やその他家電など）に登録され、その情報に基づいて使用者の特性を検知してもよい。更に、登録される使用者特性の質問事項は年齢によって内容が変化してもよい。また、空調空間にいる使用者の体温や顔色に基づいて、使用者の特性を検知してもよい。
【産業上の利用可能性】
【０１１５】
本発明を利用すれば、空気調和機の使用者が熱中症等になることを防止できるとともに、空気調和機の消費電気代を低減できる。
【符号の説明】
【０１１６】
１、１０１、２０１、３０１、４０１  空気調和機
５０、１５０、２５０、３５０、４５０  制御部（制御手段）
５１  使用者特性情報記憶部（記憶手段）
５２  開始条件記憶部
５３、１５３、２５３、３５３、４５３  使用者特性検知部（使用者特性検知手段）
５４  開始条件決定部（決定手段）
５５  開始判定部
１２０  使用者検知部（使用者検知手段）
２２０  撮像部（撮像手段）
３２０  通信部
３２１  端末装置
４２０  撮像部（撮像手段）
４５１  顔識別部（顔識別手段）
【図１】
2014231963.tif 000003
【図２】
2014231963.tif 000004
【図３】
2014231963.tif 000005
【図４】
2014231963.tif 000006
【図５】
2014231963.tif 000007
【図６】
2014231963.tif 000008
【図７】
2014231963.tif 000009
【図８】
2014231963.tif 000010
【図９】
2014231963.tif 000011
【図１０】
2014231963.tif 000012
【図１１】
2014231963.tif 000013
【図１２】
2014231963.tif 000014
【図１３】
2014231963.tif 000015